(57)【要約】  シリンダハウジングと、該シリンダハウジング内で回転可能に支持されたシリンダプラグとを含む鍵再設定可能な錠シリンダ組立体が提供される。タンブラーピン組立体は、シリンダプラグ内に形成されたピンボアに配置され摺動可能に支持された１対のピンと、１対のピンの間に置かれ、該１対のピンが互いに対して固定されている固定位置と、該１対のピンがタンブラーピン組立体の高さを変えるよう互いに対して位置付け可能である自由位置との間で選択的に回転可能である。【選択図】図１
2008513642.tif 000002
【特許請求の範囲】
【請求項１】
錠シリンダ組立体において、
内部に形成されて内部キャビティで終端する第１のピンボアを有するシリンダハウジングと、
前記第１のピンボア内に配置され、内部で摺動可能に支持された第１のタンブラーピンと、
長手方向軸線に沿って形成された鍵穴と、内部に形成されて前記鍵穴と外表面との間に延びる第２のピンボアとを有するシリンダプラグと、
を備え、
前記シリンダプラグは、該シリンダプラグが第１の位置にある時に前記第１及び第２のピンボアが整列するように、前記内部キャビティ内で回転可能に支持されており、
前記錠シリンダ組立体には、
前記第２のピンボア内に配置されて摺動可能に支持された第２のピンと、
前記第２のピンの下にある前記第２のピンボア内に配置されて摺動可能に支持された第３のピンと、
前記第２及び第３のピンの間に置かれた連結要素と、
を含む第２のタンブラーピン組立体が設けられ、
前記第２のタンブラーピン組立体の高さを変えるために、前記連結要素が、前記第２のピンが前記第３のピンに固定されている連結位置と前記第２のピンが前記第３のピンに連結されていない自由位置との間で前記第２及び第３のピンの内の少なくとも一方に対して選択的に回転可能であることを特徴とする錠シリンダ組立体。
【請求項２】
前記第２のピンが、前記第３のピン内に少なくとも部分的に配置された第１の端部分と、該第１の端部分とは反対側にあり前記鍵穴に向かって延びる第２の端部分とを含むことを特徴とする請求項１に記載の錠シリンダ。
【請求項３】
前記第２のタンブラーピン組立体が更に、前記第２のピンと第３のピンを互いに離れる方向に付勢するバネを含むことを特徴とする請求項２に記載の錠シリンダ。
【請求項４】
前記第３のピンが、前記第２のピンの前記第１の端部分を受けるキャリヤ部分を含むことを特徴とする請求項２に記載の錠シリンダ。
【請求項５】
前記第３のピンが、前記第２のピンから離れる方向に前記キャリヤ部分から延びるピン伸長部を含むことを特徴とする請求項４に記載の錠シリンダ。
【請求項６】
前記連結要素が、前記第１の端部分の第１の半径方向表面上に形成された第１のセットの歯と、前記第３のピンの第２の半径方向表面上に形成された第２のセットの歯とを含み、前記第３のピンに対して前記第２のピンが回転すると、前記第１及び第２のセットの歯が連結解除されることを特徴とする請求項２に記載の錠シリンダ。
【請求項７】
前記第２のセットの歯が、前記第２の半径方向表面の約９０°で形成されることを特徴とする請求項６に記載の錠シリンダ。
【請求項８】
前記連結要素を前記連結位置と前記自由位置との間で回転させるために、前記第２のピン及び前記第３のピンの内の少なくとも一方が、両ピンから半径方向外方に延びるカムアームを有することを特徴とする請求項１に記載の錠シリンダ。
【請求項９】
前記シリンダプラグ内に延びて前記カムアームと係合するアクチュエータを更に備え、前記カムアームが、前記連結要素を前記連結位置と前記自由位置との間で回転させるために前記シリンダプラグに対して移動可能であることを特徴とする請求項８に記載の錠シリンダ。
【請求項１０】
各々が対応する第１のピンボア内に配置され且つ摺動可能に支持された第１のタンブラーピンのセットと、
各々が対応する第２のピンボア内に配置され且つ摺動可能に支持された第２のタンブラーピン組立体のセットと、
を更に備えることを特徴とする請求項１に記載の錠シリンダ。
【請求項１１】
錠シリンダ組立体において、
内部キャビティを定める壁部材と、該壁部材内に形成されて前記内部キャビティで終端する第１のピンボアとを有するシリンダハウジングと、
前記第１のピンボア内に配置され且つ摺動可能に支持された第１のタンブラーピンと、
長手方向軸線に沿って形成された鍵穴と、内部に形成されて前記鍵穴と外表面との間に延びる第２のピンボアとを有するシリンダプラグと、
を備え、
前記シリンダプラグは、該シリンダプラグが第１の位置にある時に前記第１及び第２のピンボアが整列するように、前記内部キャビティ内で回転可能に支持されており、
前記錠シリンダ組立体が更に、
前記第２のピンボア内に配置されて摺動可能に支持された第２のピン及び第３のピンを含む第２のタンブラーピン組立体を備え、
前記第２のタンブラーピン組立体の高さを変えるために、前記第２のピンは、前記第２のピンが前記第３のピンに固定されている連結位置と前記第２のピンが前記第３のピンに連結されていない自由位置との間で第３のピンに対して選択的に回転可能であることを特徴とする錠シリンダ組立体。
【請求項１２】
前記第２のピンが、前記第３のピン内に少なくとも部分的に配置された第１の端部分と、該第１の端部分とは反対側にあり前記鍵穴に向かって延びる第２の端部分とを含むことを特徴とする請求項１１に記載の錠シリンダ。
【請求項１３】
前記第２のタンブラーピン組立体が更に、前記第２及び第３のピンを互いに離れる方向に付勢するバネを含むことを特徴とする請求項１２に記載の錠シリンダ。
【請求項１４】
前記第３のピンが、前記第２のピンの前記第１の端部分を受けるキャリヤ部分を含むことを特徴とする請求項１２に記載の錠シリンダ。
【請求項１５】
前記第３のピンが、前記第２のピンから離れる方向に前記キャリヤ部分から延びるピン伸長部を含むことを特徴とする請求項１４に記載の錠シリンダ。
【請求項１６】
前記第１の端部分の第１の半径方向表面上に形成された第１のセットの歯と、前記第３のピンの第２の半径方向表面上に形成された第２のセットの歯とを更に備え、
前記第３のピンに対して前記第２のピンが回転すると、前記第１及び第２のセットの歯が連結解除されることを特徴とする請求項１２に記載の錠シリンダ。
【請求項１７】
前記第２のセットの歯が、前記第２の半径方向表面の約９０°で形成されることを特徴とする請求項１６に記載の錠シリンダ。
【請求項１８】
前記連結要素を前記連結位置と前記自由位置との間で回転させるために、前記第２のピン及び前記第３のピンの内の少なくとも一方が、両ピンから半径方向外方に延びるカムアームを有することを特徴とする請求項１１に記載の錠シリンダ。
【請求項１９】
前記シリンダプラグ内に延びて前記カムアームと係合するアクチュエータを更に備え、前記カムアームが、前記連結要素を前記連結位置と前記自由位置との間で回転させるために前記シリンダプラグに対して移動可能であることを特徴とする請求項１８に記載の錠シリンダ。
【請求項２０】
各々が対応する第１のピンボア内に配置され且つ摺動可能に支持された第１のタンブラーピンのセットと、
各々が対応する第２のピンボア内に配置され且つ摺動可能に支持された第２のタンブラーピン組立体のセットと、
を更に備えることを特徴とする請求項１１に記載の錠シリンダ。
【請求項２１】
錠シリンダを鍵再設定するための方法であって、
有効鍵をシリンダプラグ内の鍵穴内に挿入する段階と、
前記シリンダプラグをシリンダハウジングに対して定位置から学習位置に回転する段階と、
前記シリンダプラグ内に形成されたピンボア内でピン組立体を自由位置まで回転させて、前記ピン組立体の第１及び第２のピンによって定められる高さが調節されるようにする段階と、
前記有効鍵を前記鍵穴から引き抜く段階と、
代替鍵を前記鍵穴内に挿入する段階と、
前記ピン組立体を前記ピンボア内で連結位置まで回転して前記高さを固定する段階と、
前記シリンダプラグを前記定位置まで回転する段階と、
前記代替鍵を取り出す段階と、
を含む方法。
【請求項２２】
ピン組立体を回転する段階が、前記第１のピンが前記第２のピンに対して回転するように、アクチュエータを作動させて前記ピン組立体に係合する段階を含む請求項２１に記載の方法。
【請求項２３】
前記第１のピンを前記第２のピンに対して回転するために、前記シリンダプラグが前記アクチュエータに対して摺動される請求項２１に記載の方法。
【発明の詳細な説明】
【技術分野】
【０００１】
本発明は、錠シリンダに関し、より具体的には、改良された鍵再設定可能な錠シリンダに関する。
【背景技術】
【０００２】
ドアフレームに対しドアを選択的に固定することによりドアを閉鎖状態に維持するよう操作可能なドア金物組立体を提供することは、当技術分野においては良く知られている。ドア金物組立体の操作を選択的に阻止するよう施錠することができるドア金物組立体を提供することも同様に良く知られている。理解されるように、ドア金物組立体の操作を阻止することにより、ドアは閉じて施錠された状態を維持することになる。このような従来のドア金物組立体は一般に、ハンドル組立体、錠シリンダ、及び鍵を含み、該鍵は、ドアハンドル組立体の操作を阻止してドアを閉じて施錠された状態で維持するために錠シリンダを選択的に施錠するよう操作可能である。
【０００３】
錠シリンダは、シリンダハウジング内に回転可能に支持されたシリンダプラグを含む。錠シリンダを選択的に施錠及び開錠するために、ピンのセットがシリンダプラグとシリンダハウジングとの間に延びる。錠シリンダは、ある鍵を嵌合的に受けるように設計され、該鍵が錠シリンダを施錠状態と開錠状態との間で変えるよう操作可能である。理解されるように、鍵は、ドアハンドル組立体の望ましくない操作を阻止するために、特定の錠シリンダに固有のものである。
【０００４】
錠シリンダは一般には、複数のピン組立体を含み、各ピン組立体は、シリンダハウジング内に形成された上部ボア内に摺動可能に配置された上部ピンと、シリンダプラグ内に形成された下部ボア内に摺動可能に配置された下部ピンとを含む。シリンダプラグとシリンダハウジングとの間にシアラインが定められる。鍵は、錠シリンダを選択的に施錠及び開錠するのに使用され、鍵上に配置された隆起部分すなわちビット刻みは、上部ピン及び下部ピンに係合してピンの境界をシアラインと正確に整列させ、シリンダハウジング内でシリンダプラグの回転を可能にするよう動作可能である。装置全体の交換を必要とせずに、錠シリンダを「リセット」又は「鍵再設定」することが望ましいとすることができる。従来の錠シリンダの鍵再設定では、再構成された錠シリンダを施錠及び開錠するよう動作可能な新しい鍵を錠シリンダに提供すると同時に、古い鍵の更なる使用ができないようにする。
【０００５】
鍵再設定動作において、上方及び下部ピンは、鍵に対応する該上方及び下部ピンの各々の新しい相対的高さを変えるために交換される。この点に関しては、各ピン組立体の新しいピン高さに対応する隆起部分すなわちビット刻みを有する新しい鍵が、ピン境界をシアラインと正確に整列させるために必要とされる。新しいピンが取り付けられると、錠シリンダはもはや、古い鍵が錠シリンダに使用された場合にドアハンドル組立体の回転を許容しない。理解されるように、古い鍵は新しいピン高さに対応せず、従って、それぞれのピン組立体の第１及び第２のシア域が正確には整列しなくなる。
【０００６】
従来の錠シリンダは、該錠シリンダの鍵再設定動作を適切に提供するが、これらは錠シリンダの少なくとも部分的な分解を必要とする欠点があり、典型的には鍵再設定作業を行うために錠前師などの専門技師を必要とする。更に、従来の錠シリンダには、シリンダを適切に鍵再設定するために、複数のピン高さ及びこれらの組合せを必要とする欠点がある。更にまた、従来の鍵再設定キットは、ドア金物製造業者がキット毎に様々なピン高さを生成することを要求し、従って、単に１つの錠シリンダを鍵再設定するために個々のピンの必要な数が過剰に生成される。
【０００７】
従って当業界においては、錠シリンダの分解を必要としない鍵再設定作業を提供する錠シリンダが望ましい。更に、現在ある構成要素を交換することなく鍵再設定可能な錠シリンダもまた望ましい。更にまた、様々なピン高さを有する複数の追加ピンを必要とせずに鍵再設定作業を提供する錠シリンダも望ましい。
【発明の開示】
【０００８】
本発明の１つの態様によれば、第１の長手方向軸線に沿って形成された第１のボアを有するシリンダハウジングと、第１のボア内に回転可能に配置されたシリンダプラグと、シリンダハウジング及びシリンダプラグ内に配置されたピン組立体とを含む錠シリンダが提供される。ピン組立体は、外側シリンダに対して内側シリンダを選択的に施錠するよう動作可能である。ピン組立体は、シリンダハウジング内に形成されたピンボア内に配置された上部ピンと、シリンダプラグ内に形成されたピンボア内に配置され摺動可能に支持された１対のピンを有する下部タンブラーピン組立体とを含む。連結要素は、１対のピンの間に置かれて、該１対のピンが互いに対して固定されている連結位置と、該１対のピンがタンブラーピン組立体の高さを変えるよう互いに対して位置付け可能である自由位置との間で選択的に回転可能である。カムシステムが、シリンダハウジングとタンブラーピン組立体との間に作動的に連結され、連結位置と自由位置との間の連結要素の選択的な回転を可能にする。
【０００９】
本発明の１つの態様によれば、錠シリンダを鍵再設定する方法が提供され、本方法においては、シリンダプラグ内の鍵穴内に有効鍵を挿入し、その結果、シリンダプラグをシリンダハウジングに対して定位置から学習位置まで回転できるようになる。シリンダプラグ内に形成されたピンボア内のピン組立体を固定位置から自由位置まで回転させ、ピン組立体の第１及び第２のピンによって定められる高さが調節されるようになる。有効鍵を鍵穴から抜き取り、代替鍵を鍵穴内に挿入する。ピン組立体をピンボア内で連結位置まで回転させ、ピン組立体の高さを固定する。シリンダプラグを定位置まで回転させ、代替鍵を取り出す。
【００１０】
本発明の適用可能な別の分野は、以下に提供される詳細な説明から明らかになるであろう。以下の詳細な説明及び特定の実施例は、本発明の好ましい実施形態を示しているが、例証の目的に意図されたものに過ぎず、本発明の範囲を限定するものではないことを理解されたい。
【発明を実施するための最良の形態】
【００１１】
本発明は、以下の詳細な説明及び添付図面からより完全に理解されるであろう。
【００１２】
好ましい実施形態に関する以下の説明は、本質的に例示的なものに過ぎず、本発明、その適用、又は用途をどのようにも限定するものではない。
【００１３】
ここで図面を参照すると、錠シリンダ組立体１０は、長手方向軸線に沿って形成された円筒形のキャビティ１４を有するしシリンダハウジング１２と、その長手方向軸線に沿って形成された鍵穴１８を有し、シリンダハウジング１２の内部キャビティ１４内で回転可能に支持されるシリンダプラグ１６とを含む。シリンダ本体２２から上方にチムニー２０が延びる。ピンボア２４のセットが、チムニー２０を貫通して延び、内部キャビティ１４で終端する。同様に、ピンボア２６のセットが、シリンダプラグ１６内で鍵穴１８とシリンダプラグ１６の外表面との間で延びるように形成されている。上記に示すように、シリンダプラグ１６は、該シリンダプラグ１６が定位置にある時にチムニー２０内に形成されたピンボア２４がピンボア２６と位置合わせされるように、シリンダハウジング１２内で回転可能に支持される。
【００１４】
錠シリンダ組立体１０は更に、シリンダハウジング１２にてピンボア２４内に配置され摺動可能に支持されたタンブラーピン２８のセットとバネ３０のセットとを含む。キャップ３２が、ピン２８及びバネ３０をチムニー２０内に解放可能に保持するためにチムニー２０の頂部に配置される。タンブラーピン組立体３４の別の１組が、ピンボア２６内に配置され摺動可能に支持される。図３、すなわち図３Ａ、及び図３Ｂにおいて最も良く分かるように、タンブラーピン組立体３４の各々は、ピンキャリヤ３６と、間に置かれるバネ４０を有する内側ピン３８とを含む。ピンキャリヤ３６は、内部に形成されるブラインドボア４４を有するほぼ円筒形のキャリヤ本体４２と、本体４２の上面から延びるピン４６とを含む。内側ピン３８は、ブラインドボア４４内に受けるように適合されたほぼ円筒形のピン本体４８を有する。ピン５０は、ピン本体４８の下面から下方に延びる。
【００１５】
バネ４０は、キャリヤ本体４２とピン本体４８の隣接する面の間に置かれる。バネ４０は、現在のところ好ましくは、ブラインドボア４４の領域内で撓むように適合されたほぼＵ字形状の板ばねの形態をとる。しかしながら、ピンキャリヤ３６と内側ピン３８との間で相反する付勢力を提供する他のばね要素を本発明に好適に使用可能であることは当業者には理解されるであろう。
【００１６】
ピンキャリヤ３６は、ピン本体４８上の内側ピン３８に対して選択的に回転することができる。ピンキャリヤ３６と内側ピン３８との間には連結要素が置かれ、連結位置において該連結要素は、タンブラーピン組立体３４の全体の高さが固定されるようにピンキャリヤ３６に対して内側ピン３８を固定する。ピンキャリヤ３６は、内側ピン３８に対して連結解除位置又は自由位置まで回転することができる。自由位置において、ピンキャリヤ３６及び内側ピン３８は、互いに独立してピンボア２６内で軸方向に摺動することができ、これによってタンブラーピン組立体３４のピン高の調節を可能にする。
【００１７】
現在好ましいものとして、この連結要素は弓形のギヤ歯の形態をとる。特に図３Ａを参照すると、ギヤ状ラック５２が、ブラインドボア４４によって定められる内表面５４上に形成される。弓形ラック５２は、内表面５４の周りに約９０°延びる。相補的なギヤラック５６が、ピン本体４８の外表面５８内に該外表面５８の約９０°を越えて形成される。従って、タンブラーピン組立体３４を連結及び連結解除するために、ピンキャリヤ３６を内側ピン３８に対して約９０°を通って回転させることができる。
【００１８】
ピンキャリヤ３６は、キャリヤ本体４２から延びるカムアーム６０を有する。図４に最も良く見られるように、フィンガ６４のセットを有する櫛状体６２が、シリンダハウジング２２内に形成されたアパーチャ６６のセットとシリンダプラグ１６内に形成されたアパーチャ６８のセットとを貫通して延びて、カムアーム６０に係合するようになる。シリンダプラグ１６内に形成されたアパーチャ６８は、ほぼＬ字形であり、錠シリンダ組立体１０が学習モードにある時に、シリンダハウジング１２内でシリンダプラグ１６の相対回転を生じさせ、同時に、シリンダハウジング１２内でシリンダプラグ１６の軸方向移動を生じさせる。具体的には、図４を参照すると、櫛状体６２のフィンガ６４は、カムアーム６０上に形成されたカム面７０ａに係合するようにシリンダプラグ１６内に延びる。シリンダプラグ１６がハウジング本体２２に対して軸方向に（図４で左方へ）移動すると、フィンガ６４は、カムアーム６０と協働してピンキャリヤ３６を回転（図４で時計方向に）させ、これによって内側ピン３８をピンキャリヤ３６から連結解除する。同様に、シリンダプラグ１６の軸方向移動（図６の右方へ）により、フィンガ６４がカム面７０ｂに係合し、これによってピンキャリヤ３６を反時計方向（図４の）に回転させてギヤラック５２をギヤラック５６に係合させ、ピンキャリヤ３６と内側ピン３８とを連結させる。
【００１９】
櫛状体７２が、櫛状体６２とは反対側にあるハウジング本体２２の側部に配置される。櫛状体７２は、これから延びるフィンガ７４のセットを有し。これらは、ハウジング本体２２内に形成されたアパーチャ７６のセットとシリンダプラグ１６内に形成されたアパーチャ７８のセットとを貫通して受けられるように適合されている。フィンガ７４は、アパーチャ７８を貫通して延びて、錠シリンダ１０が学習位置にない（すなわち、定位置又は直立位置）ときにピンキャリヤ３６に衝突してタンブラーピン組立体３４を連結位置に維持する。
【００２０】
ここで、図１及び図５乃至図７Ｂを参照しながら、錠シリンダ１０の動作を説明する。最初に、錠シリンダ組立体１０は、図１に示すような定位置にある。鍵穴１８に鍵Ｋを挿入すると、タンブラーピン組立体３４のピン伸長部５０が、ピン２８及び３４を錠シリンダ１０内に位置付けるよう鍵Ｋ上に形成されたビット刻みと協働する。正規の鍵が挿入された時には、鍵Ｋのビット刻みがタンブラーピン組立体３４の高さに対応し、その結果、ピン伸長部４６とピン２８との間の境界部が、シリンダハウジング１２とシリンダプラグ１６との間のシア境界に沿って整列する。このように整列すると、シリンダプラグ１６は、シリンダハウジング１２に対して反時計方向で操作位置（図７Ａにおいて最も良く見られるような）に向けて回転することかでき、図１に示すような定位置まで時計方向に回転することができる。
【００２１】
錠シリンダ１０を学習モードにするためには、正規の鍵Ｋを鍵穴１８に挿入して、これによって図７Ｂに示すような時計方向でシリンダハウジング１２内のシリンダプラグ１６の相対回転が可能になる。学習位置になると、シリンダプラグ１６は、内部キャビティ１４内に軸方向に押し込むことができる。シリンダハウジング１２に対するシリンダプラグ１６のこの軸方向移動により、櫛状体６２上のフィンガ６４がカム面７０ａに係合し、これによって内側ピン３８に対してピンキャリヤ３６が回転し、ピンタンブラー組立体３４のこれらの要素を連結解除させる。この時点で、鍵Ｋが鍵穴１８から取り出される。鍵穴１８内に鍵Ｋが存在しないと、ピンキャリヤ３６と内側ピン３８とが互いに対して反対方向に摺動することができ、タンブラーピン組立体３４の高さがリセットされるようになる。次に、新しい鍵が鍵穴１８内に挿入されることにより、ピンキャリヤ３６に対して内側ピン３８が移動し、これによってタンブラーピン組立体３４の高さが調節されて、新しい鍵が操作できるように錠シリンダ１０を構成する。この時点で、シリンダプラグ１６は、シリンダハウジング１２に対して軸方向に移動され、反時計方向に回転して定位置に戻される。この操作により、錠シリンダ１０は、新しい鍵により操作するように鍵再設定されたことになる。
【００２２】
好ましい実施形態を参照しながら、本発明を説明してきた。しかしながら、本発明は、その精神及び範囲から逸脱することなく変更できることは当業者には理解されるであろう。例えば、好ましい実施形態は内側ピンに対してピンキャリヤを回転させるカムシステムを開示している。しかしながら、シリンダプラグボア内でピンキャリヤを相対的に回転させる他の好適な機構を用いてもよい。例えば、櫛状体６２は、相対的な回転を行わせるためにピンキャリヤの外表面上に形成されたギヤ歯のセットに係合する好適なギヤラックに置き換えてもよい。同様に、本発明はピンキャリヤと内側ピンとの間の相対的回転を企図しているので、ピンキャリヤに対して内側ピンを回転させる他の好適な機構を備えてもよい。更に、本発明は、５ピンの錠シリンダとして例証している。しかしながら、本発明の教示は、所与の用途の要件によって決定される任意数のピン組立体を提供するために容易に適用できることは、当業者には理解されるであろう。
【００２３】
従って、本発明の説明は本質的に単に例示的なものであり、従って、本発明の主旨から逸脱しない変形形態は、本発明の範囲内に含まれるものとする。このような変形形態は、本発明の精神及び範囲から逸脱したものと見なすべきではない。
【図面の簡単な説明】
【００２４】
【図１】本発明による錠シリンダの斜視図である。
【図２】図１に示す錠シリンダの分解斜視図である。
【図３】本発明によるタンブラーピン組立体の分解詳細図である。
【図３Ａ】図３に示す線Ａ−Ａに沿って見たピンキャリヤの断面図である。
【図３Ｂ】図３に示す線Ｂ−Ｂに沿って見た内側ピンの断面図である。
【図４】図１の線４−４に沿って見た錠シリンダの部分断面図である。
【図５】図１の線５−５に沿って見た錠シリンダの部分断面図である。
【図６】錠シリンダが学習モードに置かれている図４と同様の部分断面図である。
【図７Ａ】施錠モードに回転された図１に示す錠シリンダの部分斜視図である。
【図７Ｂ】学習モードにある図１に示す錠シリンダの部分斜視図である。
【符号の説明】
【００２５】
１０  錠シリンダ組立体
１２  シリンダハウジング
１４  内部キャビティ
１６  シリンダプラグ
１８  鍵穴
３２  キャップ
【図１】
2008513642.tif 000003
【図２】
2008513642.tif 000004
【図３Ａ】
2008513642.tif 000005
【図３Ｂ】
2008513642.tif 000006
【図４】
2008513642.tif 000007
【図５】
2008513642.tif 000008
【図６】
2008513642.tif 000009
【図７Ａ】
2008513642.tif 000010
【図７Ｂ】
2008513642.tif 000011
【国際調査報告】
2008513642.tif 000012